(57)【要約】      （修正有）【課題】室内を使用中に扉が施錠状態または開錠状態であることを、室外から認識し易い表示錠の提供。【解決手段】施錠状態であることを表示する施錠表示部と、開錠状態であることを表示する開錠表示部が、施錠操作または開錠操作により切り替わって、そのいづれか一方の表示部６が表示窓４に表示されるように形成する表示錠において、施錠表示部および開錠表示部をそれぞれ異なる色に着色した透光性を有する材料で形成するとともに、室内側に設けた光導入部５から導入された光が、光通過部９を通過して、室外側に設けた表示窓４に表示された表示部６を透光状態に表示するように形成する。【選択図】図３
2008057106.tif 000002
【特許請求の範囲】
【請求項１】
施錠状態であることを表示する施錠表示部と、開錠状態であることを表示する開錠表示部が、施錠操作、または、開錠操作により切り替わって、そのいずれか一方の表示部が表示窓に表示されるように形成された表示錠において、施錠表示部、および、開錠表示部が透光性を有する材料で形成されてなるとともに、一方の面に設けられた光導入部から導入された光が、光通過部を通過して、他方の面に設けられた表示窓に表示された表示部を透光状態に表示するように形成されてなることを特徴とする表示錠。
【請求項２】
開錠表示部と施錠表示部が異なる色に着色された透光性を有する材料で形成されていることを特徴とする請求項１に記載の表示錠。
【請求項２】
請求項１または請求項２に記載の表示錠を、表示窓側が扉の室外側、光導入部側が扉の室内側となるように取り付けたことを特徴とする扉。
【発明の詳細な説明】
【技術分野】
【０００１】
本発明は、開き戸や引き戸などの扉に取り付けられ、扉が施錠状態または開錠状態であることを表示する機能を有する表示錠およびそれを取り付けた扉に関するものである。
【背景技術】
【０００２】
従来、住宅のトイレや浴室などの室内と廊下などの室外との間に用いられる開き戸や引き戸、吊戸などの扉において、扉の施錠状態または開錠状態を室外から認識できるように表示錠が設置されている。具体的には、施錠状態では赤色、開錠状態では青色など異なった色の表示部が室外側に設けられた表示窓を通して表示されていた。
【０００３】
しかしながら、従来の表示錠において、夜間など薄暗い状況で、表示部の色を視認することは難しく、扉の施錠状態または開錠状態を認識することが困難であった。とりわけ、高齢者や弱視者などにとっては非常に困難なものであった。
【０００４】
そこで、これを解決する手段として、例えば、特許文献１のように、表示部に蓄光性夜光塗料を用いた表示錠や、特許文献２のように、透光性(光が内部を通り抜ける性質)を有する材料で表示部を形成し、表示部を透過した光を表示窓に向けて反射する反射体を設けた表示錠や、透光性を有する材料で表示部を形成し、表示部を透過した光を蓄光して発光する発光体を設けた表示錠が知られている。
【０００５】
いずれの方法も、表示部の視認性を向上させることはできるものの、表示部に蓄光性夜光塗料を用いた表示錠や、透光性を有する材料で表示部を形成し、表示部を透過した光を蓄光して発光する発光体を設けた表示錠は、十分な識別性を得るには輝度が高い蛍光体を選定し用いる必要があった。また、透光性を有する材料で表示部を形成し、表示部を透過した光を表示窓に向けて反射する反射体を設けた表示錠は、室外側の光を反射させて表示部を照らす明るさを得ているため、例えば、トイレなどの室内を使用中で、室内は明るいが、廊下などの室外が薄暗い場合などには、表示部の視認性向上の効果を十分に発揮できないという問題があった。
【特許文献１】特開平１０−８２２１９号
【特許文献２】特開２００６−１８８８８３号
【発明の開示】
【発明が解決しようとする課題】
【０００６】
本発明は、上記の課題を鑑みなされたものであり、室内を使用中に扉が施錠状態または開錠状態であることを、夜間であっても室外から認識し易い表示錠を提供することを目的とする。
【課題を解決するための手段】
【０００７】
上記目的を達成するため、請求項１に係る発明の表示錠は、施錠状態であることを表示する施錠表示部と、開錠状態であることを表示する開錠表示部が、施錠操作、または、開錠操作により切り替わって、そのいずれか一方の表示部が表示窓に表示されるように形成された表示錠において、施錠表示部、および、開錠表示部が透光性を有する材料で形成されてなるとともに、一方の面に設けられた光導入部から導入された光が、光通過部を通過して、他方の面に設けられた表示窓に表示された表示部を透光状態に表示するように形成されてなることを特徴とする。
【０００８】
請求項２に係る発明の表示錠は、開錠表示部と施錠表示部が異なる色に着色された透光性を有する材料で形成されていることを特徴とする。
【０００９】
請求項３に係る発明の扉は、請求項１または請求項２に記載の表示錠を、表示窓側が扉の室外側、光導入部側が扉の室内側となるように取り付けたことを特徴とする。
【発明の効果】
【００１０】
請求項１の発明によれば、施錠状態であることを表示する施錠表示部と、開錠状態であることを表示する開錠表示部が、施錠操作、または、開錠操作により切り替わって、そのいずれか一方の表示部が表示窓に表示されるように形成された表示錠において、施錠表示部、および、開錠表示部が透光性を有する材料で形成されてなるとともに、一方の面に設けられた光導入部から導入された光が、光通過部を通過して、他方の面に設けられた表示窓に表示された表示部を透光状態(内部を光が通り抜けている状態)に表示するように形成されているため、施錠表示部と開錠表示部のどちらが表示窓に表示されているかをはっきりと視認することができ、施錠状態または開錠状態であること認識し易い。
【００１１】
請求項２の発明によれば、請求項１の発明において、開錠表示部と施錠表示部が異なる色に着色された透光性を有する材料で形成されているため、表示窓を通して、施錠表示部または開錠表示部のどちらが表示されているか認識し易い。
【００１２】
請求項３の発明によれば、請求項１または請求項２の発明の表示錠を、表示窓側が扉の室外側、光導入部側が扉の室内側となるように扉に取り付けているため、室内が使用中で扉が施錠状態にあることを、室外から表示窓を見ることで確認することができる。また、室内の照明の光を室外から確認できるため、室内の照明の消し忘れを防止することができる。
【実施を実施するための最良の形態】
【００１３】
以下、本発明を実施するための実施形態を図面に基づき説明する。尚、本発明は本実施形態の記載内容に限られるものではない。
【００１４】
図１は、本発明の第１実施形態に係るレバーハンドルの取付座と一体化した表示錠Ａを取り付けたドアの一部の室外側正面図であり、図２は室内側正面図、図３は戸先側の側面断面図である。１は建物の開口部に、吊元側を回動可能に取り付けられたドアであって、ドア１の戸先側には、ラッチボルトおよびデッドボルトを備えた錠本体(図示しない)が埋め込まれており、ハンドルレバー２の操作および表示錠Ａのサムターン３の操作により、ラッチボルトおよびデッドボルトがそれぞれ戸先側から出入りするように、表示錠Ａの表示窓４側を扉の室外側、光導入部５側を扉の室内側として取り付けられている。ここで室内側とは、その部屋側から施錠または開錠操作を行なうトイレや浴室などの部屋側であり、室外側とは、廊下など、該室内側と扉を挟んで反対側を指す。
【００１５】
表示錠Ａは、サムターン３の操作に連動して、円板状の表示部６が回動可能なように、取付座７の表面に設けられた浅い凹部７ａに収まって取り付けられており、施錠状態では施錠表示部６ａ、開錠状態では開錠表示部６ｂが、カバー部材８に設けられた表示窓４を通して表示されるようになっている。
【００１６】
また、サムターン３の上部には、凸レンズ状の光導入部５が備えてあり、光導入部５より導入された室内側の光が、光導入部５の裏面側から、表示窓４を通して表示される表示部６の裏面側まで斜めに設けられた筒状の光通過部９内を通過し、表示窓４に表示された施錠表示部６ａ、または、開錠表示部６ｂを透光状態とするように構成されている。
【００１７】
これにより、光導入部５から導入された室内側の光が施錠表示部６ａ、または、開錠表示部６ｂを透光状態とするため、表示部６の色をはっきりと視認することができ、高齢者や弱視者などでも、施錠状態または開錠状態であることを認識し易い。
【００１８】
光導入部５は、凸レンズ状のものの他、平板状のものなどを用いることもできるが、集光し易い凸レンズ状のものを用いることが好ましい。多く集光することで、表示部の視認性を向上させることができる。光導入部５の材料には、アクリル樹脂やポリカーボネート樹脂などの樹脂や、ガラスなどの光透過性を有する材料を用いることができる。
【００１９】
光通過部９は、金属製や、内面が金属塗料の塗布、金属蒸着などにより鏡面状に仕上げられた筒状体、アクリル樹脂やポリカーボネート樹脂などの樹脂製の棒状体、光ファイバーケーブルなどを用いることができるが、光を効率よく通過させることを考慮すると、内面が鏡面状に仕上げられた筒状体や光ファイバーなどを用いることが好ましい。
【００２０】
表示部６は、透光性を有する材料であれば特に限定されず、アクリル樹脂やポリカーボネート樹脂などの樹脂や、ガラスなどを用いることができ、例えば、施錠表示部６ａは赤色、開錠表示部６ｂは青色などに着色したものを組み合わせて形成される。また、室内使用中のプライバシー保護を考慮すると、サンドブラスト加工やフロスト加工などの方法により光が拡散するように表面加工を施しておくことが好ましい。
【００２１】
また、本実施形態では、サムターン３が光導入部５から光が導入される際の邪魔とならないように、光通過部９を光導入部５の裏面から表示部６の裏面側まで斜めに設けているが、サムターン３のサイズを小さくすることにより、まっすぐに設けるようにしてもよい。
【００２２】
図４に、第２実施形態の表示錠Ｂを取り付けたドア１０の戸先側の側面断面図を示す。ドア１０の戸先側には、デッドボルトを備えた錠本体(図示しない)が埋め込まれており、表示錠Ｂのサムターン１１の操作により、デッドボルトが戸先側から出入りするように、表示錠Ｂの表示窓１２側を扉の室外側、サムターン１１側を扉の室内側として取り付けられている。
【００２３】
表示錠Ｂは、サムターン１１の操作に連動して、第１実施形態と同様の円板状の表示部１３が回動可能なように、台座１４の表面に設けられた浅い凹部１４ａに収まって取り付けられており、施錠状態では施錠表示部１３ａ、開錠状態では開錠表示部１３ｂが、カバー部材１５に設けられた表示窓１２を通して表示されるようになっている。
【００２４】
サムターン１１、および、台座１４の透光部１４ｂ、１４ｃはアクリル樹脂やポリカーボネート樹脂などの透光性を有する材料で形成されており、サムターン１１より導入された室内側の光は、透光部１４ｂ内、透光部１４ｂの裏面側と透光部１４ｃの裏面側の間に設けた筒状の光通過部１６内、透光部１４ｃ内、表示部１３内を順次、透過または通過するように構成されている。
【００２５】
図５は、本発明の第３実施形態に係る引手と一体化した表示錠Ｃを取り付けた引戸の一部の室外側正面図であり、図６は室内側正面図、図７は戸先側の側面断面図である。１７は建物の開口部の上枠などの上部、あるいは、床面上などの下部に取り付けられたレールをガイドとしてスライドする引戸であって、引戸１７の戸先側には、カマを備えた錠本体(図示しない)が埋め込まれており、表示錠Ｃのつまみ１８の操作により、カマが戸先側から出入りするように、表示錠Ｃの表示窓１９側を扉の室外側、光導入部２０側を扉の室内側として取り付けられている。
【００２６】
表示錠Ｃは、つまみ１８を上下に操作することにより、表示部２１が連動して上下に動くように連結されて構成されている。施錠状態では施錠表示部２１ａ、開錠状態では開錠表示部２１ｂが引手本体部２２に設けられた表示窓１９を通して表示されるようになっている。
【００２７】
つまみ１８の上部には、凸レンズ状の光導入部２３が備えてあり、光導入部２０より導入された室内側の光が、光導入部２０に接続された筒状の光通過部２３内を通過し、表示窓１９に表示された施錠表示部２１ａ、または、開錠表示部２１ｂを透光状態に表示するように構成されている。
【００２８】
以上のように、本発明の表示錠およびそれを取り付けた扉は、室内を使用中に扉が施錠状態または開錠状態であることを室外から認識し易く、また、室内の照明の消し忘れを防止することができるため、一般住宅は勿論、高齢者が多く生活するグループホーム等で特に有用である。
【図面の簡単な説明】
【００２９】
【図１】表示錠Ａを取り付けたドアの一部の室外側正面図。
【図２】表示錠Ａを取り付けたドアの一部の室内側正面図。
【図３】表示錠Ａを取り付けたドアの一部の戸先側の側面断面図。
【図４】表示錠Ｂを取り付けたドアの一部の戸先側の側面断面図。
【図５】表示錠Ｃを取り付けた引戸の一部の室外側正面図。
【図６】表示錠Ｃを取り付けた引戸の一部の室内側正面図。
【図７】表示錠Ｃを取り付けた引戸の一部の戸先側の側面断面図。
【符号の説明】
【００３０】
Ａ    、Ｂ     、Ｃ                 表示錠
１    、１０                        ドア
２                                  ハンドルレバー
３    、１１                        サムターン
４    、１２   、１９               表示窓
５    、２０                        光導入部
６    、１３   、２１               表示部
６ａ  、１３ａ 、２１ａ             施錠表示部
６ｂ  、１３ｂ 、２１ｂ             開錠表示部
７                                  取付座
７ａ  、１４ａ                      凹部
８    、１５                        カバー部材
９    、１６   、２３               光通過部
１４                                台座
１４b 、１４c                       透光部
１７                                引戸
１８                                つまみ
２２                                引手本体部
【図１】
2008057106.tif 000003
【図２】
2008057106.tif 000004
【図３】
2008057106.tif 000005
【図４】
2008057106.tif 000006
【図５】
2008057106.tif 000007
【図６】
2008057106.tif 000008
【図７】
2008057106.tif 000009
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
施錠状態であることを表示する施錠表示部と、開錠状態であることを表示する開錠表示部が、施錠操作、または、開錠操作により切り替わって、そのいずれか一方の表示部が表示窓に表示されるように形成された表示錠において、施錠表示部、および、開錠表示部が透光性を有する材料で形成されてなるとともに、一方の面に設けられた光導入部から導入された光が、光通過部を通過して、他方の面に設けられた表示窓に表示された表示部を透光状態に表示するように形成されてなることを特徴とする表示錠。
【請求項２】
開錠表示部と施錠表示部が異なる色に着色された透光性を有する材料で形成されていることを特徴とする請求項１に記載の表示錠。
【請求項３】
請求項１または請求項２に記載の表示錠を、表示窓側が扉の室外側、光導入部側が扉の室内側となるように取り付けたことを特徴とする扉。